(57)【要約】【課題】被呼機が接続する回線品質に起因する通信エラーの発生確率を低減すると共に、送信完了までの通信時間を短縮する。【解決手段】任意の被呼機との間で画像情報を送受信する場合に、ファクシミリ装置１００と被呼機との間で画像情報を送受信するための複数の変調方式を有して被呼機へ画像情報を送信する通信手段１と、この通信手段１により呼接続される被呼機の回線接続情報を入力するように操作される操作手段２と、この操作手段２から入力された回線接続情報に基づいてこの装置と被呼機とを接続する回線の種類を判定する判定手段４と、この判定手段４により判定された回線の種類に応じた１つの変調方式を通信手段１の複数の変調方式の中から選択する変調方式選択手段５とを備える。【選択図】        図１
2004320142.tif 000002
【特許請求の範囲】
【請求項１】
任意の被呼機との間で画像情報を送受信するファクシミリ装置であって、
当該装置と前記被呼機との間で画像情報を送受信するための複数の変調方式を有して当該被呼機へ画像情報を送信する通信手段と、
前記通信手段により呼接続される前記被呼機の回線接続情報を入力するように操作される操作手段と、
前記操作手段から入力された前記回線接続情報に基づいて当該装置と前記被呼機とを接続する回線の種類を判定する判定手段と、
前記判定手段により判定された前記回線の種類に応じた１つの変調方式を前記通信手段の複数の変調方式の中から選択する変調方式選択手段と
を備えることを特徴とするファクシミリ装置。
【請求項２】
前記通信手段は、
当該通信手段が有する複数の変調方式の中の少なくとも１つ以上の変調方式に対して複数の変調速度を切換可能であって、
前記判定手段による判定結果に基づいて１つの変調速度を前記切換可能な複数の変調速度の中から選択する変調速度選択手段を備えること
を特徴とする請求項１に記載のファクシミリ装置。
【請求項３】
前記被呼機の回線接続情報は電話番号であって、
前記判定手段は、
前記操作手段から入力された前記電話番号により前記回線の種類を判定すること
を特徴とする請求項１又は２に記載のファクシミリ装置。
【請求項４】
前記判定手段は、
前記電話番号に付与された識別番号により前記回線の種類を判定すること
を特徴とする請求項３に記載のファクシミリ装置。
【請求項５】
前記識別番号は、前記電話番号の先頭に番号群として付与されたこと
を特徴とする請求項４に記載のファクシミリ装置。
【請求項６】
前記判定手段は、
前記操作手段から入力された前記電話番号の先頭に、前記番号群として０５０を付与された場合と、当該０５０を付与されない場合とで判定を変更すること
を特徴とする請求項５に記載のファクシミリ装置。
【請求項７】
任意のアナログ情報を音声符号化方式によりデジタル化して伝送する通信網をインターネット・プロトコル網とし、
全二重／半二重通信のための変調方式としてＩＴＵ−Ｔにより勧告された通信規格をＶ３４規格とするとき、
前記操作手段から入力された前記電話番号に基づいて、前記被呼機が前記インターネット・プロトコル網に接続すると前記判定手段により判定された場合、
前記変調方式選択手段は、前記Ｖ３４規格に基づく変調方式を選択しないこと
を特徴とする請求項３に記載のファクシミリ装置。
【請求項８】
当該装置による通信履歴を管理する通信履歴管理手段と、
前記通信履歴管理手段により管理された前記通信履歴と共に、前記判定手段による判定結果を記載した通信管理レポートを出力するレポート出力手段と
を備えることを特徴とする請求項１乃至７のいずれかに記載のファクシミリ装置。
【請求項９】
前記判定手段による判定結果に基づく変調方式及び／又は変調速度の選択／不選択を切換設定可能な設定手段を備えること
を特徴とする請求項１乃至８のいずれかに記載のファクシミリ装置。
【請求項１０】
画像情報を送受信する発呼側端末と被呼側端末との間の通信を制御する方法であって、
前記発呼側端末と被呼側端末との間で画像情報を送受信するための変調方式を予め複数準備し、
前記発呼側端末から被呼側端末へ画像情報を送信する際に、
前記被呼側端末の回線接続情報を入力し、
入力された前記回線接続情報に基づいて当該発呼側端末と被呼側端末とを接続する回線の種類を判定し、
判定された前記回線の種類に応じた１つの変調方式を選択すること
を特徴とする通信制御方法。
【発明の詳細な説明】
【０００１】
【発明の属する技術分野】
本発明は、一般電話回線網とインターネット・プロトコル網とで構築された通信網に回線を接続して画像情報のようなアナログ信号を送受信する機能を備えた情報通信機器に適用して好適なファクシミリ装置及び通信制御方法に関する。
【０００２】
【従来の技術】
近年、インターネットに代表されるインターネット・プロトコル（ＩＰ：Ｉｎｔｅｒｎｅｔ  Ｐｒｏｔｏｃｏｌ）網の整備が進んだことから、ＩＰ網を利用した情報通信のための技術開発の進歩が著しい。このＩＰ網を利用した情報通信のための一技術として、音声符号化方式（ＶｏＩＰ：Ｖｏｉｃｅ  ｏｖｅｒ  ＩＰ）による音声情報の伝送技術が知られている。このＶｏＩＰ技術では、音声情報を音声コーデック（ＣＯＤＥＣ：ｃｏｄｅｒ−ｄｅｃｏｄｅｒ、符号化／復号化回路）によりデジタル情報に変換し、これをＩＰパケットに載せて伝送することによって、この音声情報をＩＰ網に接続されたＩＰ端末との間で送受信する。
【０００３】
このようなＶｏＩＰ技術では、ＩＰ端末からＩＰ網に回線を接続するためのルータ（ｒｏｏｔｅｒ）の価格及び保守点検費用が、従来の一般電話回線網で使用されてきた交換機と比較して廉価であることから、ＩＰ端末の短期間での一般普及が予想される。しかしながら、このＶｏＩＰ技術では、音声情報をＩＰ網で効率よくやりとりするために、電話網とＩＰ網の接点にあるＶｏＩＰゲートウェイ等が提供する音声コーデックによっては、元の音声情報が持つ周波数帯域が損なわれ、さらにＩＰ網の経路によってはパケットの遅延及び喪失の可能性がある。従って、送信される音声情報には再生欠陥が発生し易いので、この音声情報の受信時における波形品質を保証することは困難である。
【０００４】
このようなＩＰ網に接続されたＩＰ端末に一般電話回線網に接続された従来のファクシミリ装置から画像情報を送信する場合、この画像情報を通信モデムにより音声情報に変換してから送出する。このため、通常の音声情報をＩＰ網を介して伝送した場合と同様に、周波数帯域の損失、パケットの遅延及び喪失に起因して通信エラーが発生し易い。
【０００５】
従来のファクシミリ装置では、ＩＴＵ−Ｔ勧告によるＶ３４規格での全二重／半二重通信可能な通信モデムを備えた場合、図８及び図９に示したフローチャートの送信例のように画像情報が発呼送信される。この従来の発呼送信では、先ず図８のステップＳ１０１で、入力された電話番号に従いダイアルし、ステップＳ１０２で、タイマーを起動してダイアル後の経過時間を計時する。次のステップＳ１０３で、３秒間間隔でのＣＮＧ送出を開始し、次のステップＳ１０４で、信号検知処理を実行する。
【０００６】
次に、図９のステップＳ１０５に移行して、ＡＮＳａｍを被呼応答として検知しない場合（Ｎｏ）、ステップＳ１０６に進み、ここでもＣＥＤ又はＤＩＳを検知しない場合（Ｎｏ）、ステップＳ１０７で、タイマーを参照してダイアル後３５秒経過した場合（Ｙｅｓ）、ステップＳ１０８に進み、送信エラーのメッセージを表示し、ステップＳ１０９で、回線を切断して発呼送信を終了する。
【０００７】
ステップＳ１０５でＡＮＳａｍを検知した場合（Ｙｅｓ）、ステップＳ１１０に進み、このＡＮＳａｍに応答することにより、次のステップＳ１１１のＶ８規格に規定された通信開始手順に移行し、ステップＳ１１２で、Ｖ３４規格での通信（Ｖ３４モード）により画像情報を送信する。全画像情報の送信後、ステップＳ１０９に進み、回線を切断して発呼送信を終了する。
【０００８】
一方、ステップＳ１０５でＡＮＳａｍを検知しなかった場合（Ｎｏ）、ステップＳ１０６に進み、ここでＣＥＤ又はＤＩＳを検知した場合（Ｙｅｓ）、ステップＳ１１３に進み、被呼機がＶ８規格の通信手順遂行能力を備えているか否かをＤＩＳの第６ビットを参照することにより判断する。
【０００９】
被呼機がＶ８規格の通信手順遂行能力を備えている場合（ステップＳ１１３でＹｅｓ）、ステップＳ１１４に進んでＣＩ（Ｃａｌｌ  Ｉｎｄｉｃａｔｏｒ  ｓｉｇｎａｌ）を送出し、被呼機に対してＡＮＳａｍを送出するよう促してからステップＳ１０５へ戻る。その後、被呼機からのＡＮＳａｍを検知すると（Ｙｅｓ）、ステップＳ１１０、ステップＳ１１１に進み、ステップＳ１１２でＶ３４モードにより画像情報を送信する。全画像情報の送信後、ステップＳ１０９に進み、回線を切断して発呼送信を終了する。
【００１０】
一方、被呼機がＶ８規格の通信手順遂行能力を備えていない場合（ステップＳ１１３でＮｏ）、ステップＳ１１５に進み、Ｖ３４規格より低速な通信を規定したＶ１７規格でのデータ通信（Ｖ１７モード）により画像情報を送信する。そして、全画像情報の送信後、ステップＳ１０９に進み、回線を切断して発呼送信を終了する。
【００１１】
このようなＶ３４モードによる全二重通信可能な高速通信は、特に、ＩＰ網上の伝送経路における音声劣化（ノイズ）及び通信遅延に対する耐性が低い。即ち、このＶ３４モードで画像情報をＩＰ端末に送信した場合、エラー送信になる確率が高くなるため、再送信の繰り返しにより通信時間が長時間化すると共に、通信コストが増大してしまう。
【００１２】
そこで、このＶ３４モードでの通信がエラー終了した場合、エラー後の再送信時には、Ｖ３４モードでは通信しないか、若しくは、Ｖ３４モードでのボーレート（変調速度）又はビットレート（伝送速度）を制限することによって、Ｓ／Ｎ比又は周波数帯域のような回線特性に起因する通信エラーの発生確率を低減する技術が提案されている（例えば、特許文献１参照）。
【００１３】
【特許文献１】
特開平９−２８９５７７号公報（第５−６頁、第３−４図）
【００１４】
【発明が解決しようとする課題】
ところで、従来方式のファクシミリ装置によれば、被呼機との間で最大通信能力を発揮し得るＶ３４モードのような変調方式により通信を開始していたため、ＩＰ網のような狭い周波数帯域並びに瞬断及び伝送遅延の多発といった粗悪な品質の回線であっても、１度目の画像情報の送信は、送信完了の可能性が低いＶ３４モードで実行していた。従って、Ｖ３４モードで通信を開始したものの途中で通信エラーが発生し、送信完了できないままに通信終了することが多く、Ｖ１７モードのように低速ではあるが、より確実な変調方式での通信は、予め規定された送信エラー後の待機時間（通常は３分間）の後にしか実行されなかった。このため、送信エラーになった１度目の通信時間と送信エラー後の待機時間とを加算すると、最初からＶ１７モードで通信した場合と比較して、送信完了までに要する総通信時間が長かった。
【００１５】
そこで、本発明は上述した問題を解決したものであって、被呼機が接続する回線品質に起因する通信エラーの発生確率を低減できると共に、送信完了までの通信時間を短縮できるようにしたファクシミリ装置及び通信制御手段を提供することを目的とする。
【００１６】
【課題を解決するための手段】
上記課題を解決するために、本発明に係るファクシミリ装置は、任意の被呼機との間で画像情報を送受信するファクシミリ装置であって、この装置と被呼機との間で画像情報を送受信するための複数の変調方式を有して被呼機へ画像情報を送信する通信手段と、この通信手段により呼接続される被呼機の回線接続情報を入力するように操作される操作手段と、この操作手段から入力された回線接続情報に基づいてこの装置と被呼機とを接続する回線の種類を判定する判定手段と、この判定手段により判定された回線の種類に応じた１つの変調方式を通信手段の複数の変調方式の中から選択する変調方式選択手段とを備えることを特徴とするものである。
【００１７】
本発明に係るファクシミリ装置によれば、任意の被呼機との間で画像情報を送受信する場合に、被呼機の回線接続情報が操作手段から入力され、入力された回線接続情報に基づいて、被呼機とを接続する回線の種類が判定手段により判定される。そして、この判定結果に基づいて変調方式選択手段により変調方式が選択され、選択された変調方式を用いて通信手段により被呼機に画像情報が送信される。また、このファクシミリ装置による通信履歴が通信履歴管理手段により管理され、この通信履歴と共に判定手段による判定結果を記載した通信管理レポートが、レポート出力手段により出力される。
【００１８】
従って、被呼機が接続する回線の種類に応じた変調方式により画像情報を送信できるので、被呼機が接続する回線の品質が粗悪であっても、この回線品質に起因する通信エラーの発生確率を低減できる。よって、画像情報を一度で送信完了できる確率を高めることができるので、送信エラーとなった画像情報の再送信に要していた通信時間を削減できるため、送信完了までの時間を短縮できると共に、通信費も抑制できる。また、特定の被呼機が接続する回線の種類と、この被呼機との通信時に使用した変調方式とを通信管理レポートにより確認できるので、通信エラーの発生確率が高い粗悪な品質の回線に接続する被呼機を把握できる。
【００１９】
本発明に係る通信制御方法は、画像情報を送受信する発呼側端末と被呼側端末との間の通信を制御する方法であって、この発呼側端末と被呼側端末との間で画像情報を送受信するための変調方式を予め複数準備し、この発呼側端末から被呼側端末へ画像情報を送信する際に、この被呼側端末の回線接続情報を入力し、ここに入力された回線接続情報に基づいて発呼側端末と被呼側端末とを接続する回線の種類を判定し、ここに判定された回線の種類に応じた１つの変調方式を選択することを特徴とするものである。
【００２０】
本発明に係る通信制御方法によれば、画像情報を送受信する発呼側端末と被呼側端末との間の通信を制御する場合に、被呼側端末が接続し得る回線に応じた変調方式により画像情報を送信できるので、被呼側端末が接続する回線品質が粗悪であっても、この回線品質に起因する通信エラーの発生確率を低減できる。従って、画像情報を一度で送信完了できる確率を高めることができるので、送信エラーとなった画像情報の再送信に要していた通信時間を削減できるため、送信完了までの時間を短縮できると共に、通信費も抑制できる。
【００２１】
【発明の実施の形態】
以下、添付の図面を参照しながら、本発明に係るファクシミリ装置及び通信制御方法の実施形態について説明する。図１は、本発明の実施形態としてのファクシミリ装置１００の構成例を示すブロック図である。
【００２２】
本実施形態では、任意の被呼機との間で画像情報を送受信する場合に、入力された被呼機の回線接続情報に基づいて被呼機とを接続する回線の種類を判定する判定手段を備え、この判定結果に基づいて選択される変調方式により被呼機に画像情報を送信する。これによって、被呼機とを接続する回線の種類に応じた変調方式により画像情報を送信できるため、被呼機が接続する回線の品質が粗悪であっても、この回線品質に起因する通信エラーの発生確率を低減できるようにしたものである。
【００２３】
ファクシミリ装置１００は、図１に示すように、通信モデム１（通信手段）、操作部２ａ、表示部２ｂ、ＣＰＵ３、ＲＯＭ４、不揮発性メモリ５、記録部６及び読込部７がバス８により接続されて構成される。ここでは特に図示しないが、通信モデム１には、ＮＣＵ（回線接続ユニット）も含むものとする。
【００２４】
通信モデム１は、国際電気通信連合・電気通信標準化部門（ＩＴＵ−Ｔ：Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）により勧告されたＶ３４規格及びＶ１７規格のような通信規格で規定された複数の変調方式と、これらの通信規格で規定された変調方式に対応する複数の変調速度とを切換可能に有する。この通信モデム１は、通常のツイストペアケーブル及びＲＪ−１１型のモジュラジャックからなる公知の電話線により公衆回線（一般電話回線）１０に接続され、ＩＴＵ−Ｔ勧告によるＶ８規格又はＴ３０規格のような通信手順に従って被呼機に画像情報を送信する。
【００２５】
操作部２ａは、透明タッチパネル及びキーボードのような入力装置を備え、通信モデム１により発呼される被呼機の電話番号と、ファクシミリ装置１００の各種設定を入力するように操作される。表示部２ｂは、液晶表示装置（ＬＣＤ：Ｌｉｑｕｉｄ  Ｃｒｙｓｔａｌ  Ｄｉｓｐｌａｙ）のような複数の画素による画像表示機能を備えた表示パネルを備え、このファクシミリ装置１００の各種機能、装置状態及び動作状況と、操作部２ａによる入力結果とを表示する。この操作部２ａ及び表示部２ｂにより操作手段２が構成される。
【００２６】
ＣＰＵ３は、ファクシミリ装置１００の制御の主体であって、ＲＯＭ４に格納された制御プログラムを不揮発性メモリ５に保持された各種情報を参照しながら動作させることによって、通信モデム１、操作部２ａ、表示部２ｂ、ＲＯＭ４、不揮発性メモリ５、記録部６及び読込部７による各種動作の全てを制御する。
【００２７】
ＲＯＭ４（判定手段）は、通信モデム１により呼接続される被呼機との間の回線の種類を、操作部２ａから入力される回線接続情報に基づいて判定する回線判定プログラムを格納している。このＲＯＭ４に格納された回線判定プログラムは、任意の被呼機に発呼する電話番号が回線接続情報として操作部２ａから入力されると、ＣＰＵ３により起動される。例えば「０５０−１２３４−５６７８」のような先頭にＩＰ端末の識別番号として番号群「０５０」を付与された電話番号が入力されると、この電話番号に基づいて、回線判定プログラムが被呼機の接続する回線の種類を、一般電話回線網ではなくインターネット・プロトコル（ＩＰ）網を経路とする回線と判定する。即ち、この回線判定プログラムは、入力された電話番号の先頭に識別番号として０５０という番号群が付与された場合、０５０が付与されない場合の「一般電話回線網上の回線」から「ＩＰ網上の回線」に判定を変更する。これによって、入力された電話番号に基づいて被呼機とを接続する回線の種類を判定できる。
【００２８】
不揮発性メモリ５（変調方式選択手段／変調速度選択手段）は、通信モデム１が切換可能に備えた複数の変調方式の中から、回線判定プログラムにより判定された回線の種類に応じた１つの変調方式を選択するための変調方式選択情報と、通信モデム１が切換可能に備えた複数の変調速度の中から１つの変調速度を回線判定プログラムによる判定結果に基づいて選択するための変調速度選択情報とを、操作部２ａから入力される設定指示に基づき記憶する。この不揮発性メモリ５に記憶された変調方式選択情報及び／又は変調速度選択情報が、回線判定プログラムによる判定結果とＣＰＵ３により照合されることによって、この回線の種類に応じた変調方式及び／又は変調速度が選択される。
【００２９】
例えば、判定結果が「ＩＰ網上の回線」の場合はＶ３４規格で規定された変調方式を選択しないこと、又は、判定結果が「ＩＰ網上の回線」と判定された場合はＶ１７規格で規定された変調方式を選択すると共に、このＶ１７規格で規定された変調方式の変調速度も指定することを、操作部２ａから設定指示することによって、この設定指示が、不揮発性メモリ５に変調方式選択情報又は変調速度選択情報として記憶される。
【００３０】
これによって、被呼機と接続する回線の種類に基づく判定結果に応じて変調方式及び／又は変調速度を選択できるので、粗悪な回線品質のためにＶ３４規格で規定された変調方式（Ｖ３４モード）では通信エラーとなる確率が高い場合には、このような回線品質に起因する通信エラーの発生確率がより低いＶ１７規格で規定された変調方式（Ｖ１７モード）と、このＶ１７規格で規定された低速の変調速度（９６００ｂｐｓ）とを選択できる。ここでＶ３４規格以外の変調方式の選択肢として、Ｖ１７規格以外の変調方式を選択しても良く、例えば通信エラーの発生確率が低いＶ１７規格以外の変調方式として、Ｖ２９、Ｖ２７ｔｅｒ等の変調方式と、その変調方式で規定された変調速度を選択するように操作部２ａから設定指示するようにしても良い。
【００３１】
従って、被呼機とを接続する回線の品質が粗悪であっても、画像情報を一度で送信完了できる確率を高めることができるので、送信完了までに要する通信時間を短縮できる。
【００３２】
記録部６は、ファクシミリ装置１００による通信履歴を不揮発性メモリ５に蓄積して管理する通信履歴管理手段と、電子写真方式又はインクジェット方式のような印刷機能（レポート出力手段）とを備え、このファクシミリ装置１００の通信履歴と回線判定プログラムによる判定結果とを記載した図２のような通信管理レポートＰ１を出力する。
【００３３】
この通信管理レポートＰ１は、毎日又は毎週等の定期出力、所定の通信量・通信回数に達した場合に出力する定量出力、必要に応じた出力のように出力頻度を設定可能であって、図２に示すように、第１列Ｃ１に通信番号、第２列Ｃ２に相手先（被呼機）の電話番号、第３列Ｃ３に通信開始時刻、第４列Ｃ４に通信時間、第５列Ｃ５に送信枚数、そして第６列Ｃ６に通信結果が通信履歴の詳細として夫々記載され、次の第７列Ｃ７に回線判定プログラムによる判定結果が記載される。
【００３４】
これによって、通信番号が００２，００９，０１４及び０１７番の通信は、相手先の電話番号が０５０を付与されていたため、回線判定プログラムによりＩＰ網上の回線が接続されると判定されてＶ３４モードが選択されなかったことを「Ｖ３４  ＯＦＦ送信」という記載により送信後においても確認できる。このため、通信エラーの発生確率が高いＩＰ網上の回線に接続する相手先と、このような相手先への送信頻度とを容易に把握できる。
【００３５】
また、上述のような回線判定プログラムによる判定結果に基づいて変調方式又は変調速度を選択するか否か、即ち、変調方式及び変調速度の選択／不選択を操作部２ａ（設定手段）によりＯＮ／ＯＦＦ切換設定できる。この切換設定によって、０５０を付与された電話番号の相手先とのＶ３４モードによる送信時と「Ｖ３４  ＯＦＦ送信」時との通信結果を比較できるため、特定の相手先への画像情報の送信時には通信エラーが発生する可能性が高くなることに注意を促すこともできる。また、０５０を付与された電話番号の相手先とＶ３４モードで通信しても特に問題がない回線品質である場合は、Ｖ３４をＯＦＦしないことで、本来の高速な通信を行うことができる。
【００３６】
読込部７は、原稿画像を走査露光する光学系と、この光学系により走査露光された原稿画像を光電変換する電荷結合素子（ＣＣＤ：Ｃｈａｒｇｅ  Ｃｏｕｐｌｅｄ  Ｄｅｖｉｃｅ）からなるラインイメージセンサとを備え、このラインイメージセンサにより原稿画像が画像情報として読み込まれる。この画像情報は、ＣＰＵ３による制御の下、圧縮等の処理の後に通信モデム１に送出され、通信モデム１から任意の被呼機に送信される。
【００３７】
次に、このファクシミリ装置１００による第１及び第２の送信例を、本発明に係る通信制御方法の実施形態として、図３乃至図７に示すフローチャートを参照しながら説明する。
【００３８】
［１］第１の送信例
図３乃至図５は、上述したファクシミリ装置１００による第１の送信例を示すフローチャートである。この第１の送信例では、通信モデム１はＶ３４モードとＶ１７モードとを切換可能であって、操作部２ａから入力された電話番号に基づいて、このファクシミリ装置１００と被呼機とを接続する回線の種類を判定し、この判定結果に応じて、Ｖ３４モード又はＶ１７モードのいずれか一方を選択することを前提条件として、画像情報の発呼送信をスタートするものとする。
【００３９】
これを前提として、先ず図３のステップＳ１で、操作部２ａから入力された電話番号に従いダイアルする。このダイアルした電話番号を、次のステップＳ２で、不揮発性メモリ５に一時記憶し、次のステップＳ３で、タイマーを起動してダイアル後の経過時間の計時を開始する。そして、ステップＳ４で、３秒間間隔でのＣＮＧ（Ｃａｌｌｉｎｇ  ｔｏｎｅ）の送出を開始し、被呼応答を検知するために、次のステップＳ５で、信号検知処理を実行する。
【００４０】
次に、図４のステップＳ６に移行して、Ｖ８規格をサポートする通信機器が被呼応答として送出するＡＮＳａｍ（Ａｎｓｗｅｒ  ｔｏｎｅ，  ａｍｐｌｉｔｕｄｅ  ｍｏｄｕｌａｔｅｄ）を検知しない場合（Ｎｏ）、次のステップＳ７に進み、被呼機の通信能力情報を通知するための被呼応答としてＩＴＵ−Ｔ勧告によるＴ３０規格に規定されたＣＥＤ（Ｃａｌｌｅｄ  ｔｅｒｍｉｎａｌ  ｉｄｅｎｔｉｆｉｃａｔｉｏｎ）又はＤＩＳ（Ｄｉｇｉｔａｌ  ｉｄｅｎｔｉｆｉｃａｔｉｏｎ  ｓｉｇｎａｌ）を検知しない場合（Ｎｏ）、次のステップＳ８で、タイマーを参照してダイアル後の経過時間をチェックし、ダイアル後３５秒経過した場合（Ｙｅｓ）、次のステップＳ９に進み、送信エラーの通信履歴を不揮発性メモリ５に記憶すると共に、表示部２ｂに送信エラーのメッセージを表示する。そして、ステップＳ１０で、回線を切断して発呼送信を終了する。
【００４１】
ステップＳ８で、ダイアル後の経過時間が３５秒に達していない場合（Ｎｏ）、図３のステップＳ４に戻り、３秒間隔でのＣＮＧ送出及び信号検知処理を、ＡＮＳａｍの検知（ステップＳ６でＹｅｓ）、ＣＥＤ又はＤＩＳの検知（ステップＳ７でＹｅｓ）又はダイアル後３５秒経過（ステップＳ８でＹｅｓ）まで継続するように、ステップＳ４乃至ステップＳ８を繰り返す。
【００４２】
ステップＳ６でＡＮＳａｍを検知した場合（Ｙｅｓ）、図５のステップＳ１１に移行して、記憶した電話番号を参照し、この電話番号のダイアルの先頭が０５０ではなかった場合（Ｎｏ）、被呼機が接続する回線は一般電話回線網を経路とするものと判定して、ステップＳ１２に進み、被呼機からのＡＮＳａｍに応答することによりＶ８規格に規定された手順に移行して、Ｖ３４規格による通信（Ｖ３４モード）を指定する。
【００４３】
次のステップＳ１３で、Ｖ３４モードにおいて、ＤＩＳ等の制御信号の送受信、画信号に変換された画像情報の送信及びＭＣＦ（Ｍｅｓｓａｇｅ  ｃｏｎｆｉｒｍａｔｉｏｎ  ｓｉｇｎａｌ）等の制御信号の送受信を繰り返し、全画像情報の送出が完了すると、図４のステップＳ１０に進み、ＤＣＮ（Ｄｉｓｃｏｎｎｅｃｔ）を送出して回線を切断すると共に、この送信完了の通信履歴を不揮発性メモリ５に記憶して発呼送信を終了する。
【００４４】
これによって、一般電話回線網上の品質が良好な回線を伝送経路として、Ｖ３４モードでの高速通信により画像情報を送信できるので、極めて短い通信時間で送信完了できる。
【００４５】
一方、ＡＮＳａｍを検知し、かつ、入力された電話番号のダイアルの先頭が０５０であった場合（図４のステップＳ６でＹｅｓ、図５のステップＳ１１でＹｅｓ）、被呼機が接続する回線はＩＰ網を経路とするものと判定して、ステップＳ１４に進み、ＡＮＳａｍを無視すると共に、Ｖ８規格の通信手順遂行能力を示すことがＴ３０規格で規定されたＤＩＳの第６ビットも無視する。これによって、Ｖ３４モードを選択できなくなるので、通信モデム１が有するもう１つの変調方式であるＶ１７モードでの送信を選択できる。即ち、Ｖ３４規格による通信をＯＦＦできる。
【００４６】
次のステップＳ１５で、ＩＴＵ−Ｔ勧告によるＶ２１規格で規定された通信手順に基づくＤＩＳ等の制御信号の送受信、Ｖ１７モードによる変調速度１４４００ｂｐｓ又は９６００ｂｐｓでの画信号の送信及びＶ２１規格に基づくＭＣＦ等の制御信号の送受信を繰り返し、全画像情報の送出が完了すると、ステップＳ１０に進み、ＤＣＮを送出して回線を切断すると共に、この送信完了の通信履歴を不揮発性メモリ５に記憶して発呼送信を終了する。
【００４７】
これによって、ＩＰ網上の品質が粗悪な回線が伝送経路であっても、回線品質に起因する通信エラーに対する耐性により優れたＶ１７モードでの通信によって、一度の通信で全画像情報を送信完了できる確率を高くできるので、送信エラーによる再送信のための通信時間を削減できる。従って、低速なＶ１７モードでの送信であっても、総通信時間を短縮できるので、通信費を低減できる。
【００４８】
なお、ＡＮＳａｍは検知されないが、ＣＥＤ又はＤＩＳが検知された場合（ステップＳ６でＮｏ、ステップＳ７でＹｅｓ）、ステップＳ１６に進み、相手機にＶ８規格の通信手順遂行能力があるかをＤＩＳの第６ビットで確認する。このビットが０の場合（ステップＳ１６でＮｏ）、被呼機はＶ３４モードでの通信能力を備えていないので、図５のステップＳ１５に進み、Ｖ１７モードにより画像情報を送信した後、ステップＳ１０に進み、ＤＣＮを送出して回線を切断すると共に、この送信完了の通信履歴を不揮発性メモリ５に記憶して発呼送信を終了する。
【００４９】
一方、ＤＩＳの第６ビットが１の場合（ステップＳ１６でＹｅｓ）、相手機はＶ８能力を備えている事を示しており、Ｖ８手順を経てＶ３４モードで通信を行う可能性があるため、まずステップＳ１７でダイアルした番号の先頭が０５０かどうかを判断し、０５０でない場合（Ｎｏ）、ステップＳ１８へ進んで、ＣＩ（Ｃａｌｌ  Ｉｎｄｉｃａｔｏｒ  ｓｉｇｎａｌ）を送出し、被呼機に対してＡＮＳａｍを送出するよう促してからステップＳ６へ戻る。その後、被呼機からのＡＮＳａｍを検知すると（ステップＳ６でＹｅｓ）、ステップＳ１１に進み、この場合ダイアルした番号が０５０で始まらないので（Ｎｏ）、ステップＳ１２に進み、ステップＳ１３でＶ３４モードにより画像情報を送信する。画像情報送信後、ステップＳ１０に進み、ＤＣＮを送出して回線を切断すると共に、この送信完了の通信履歴を不揮発性メモリ５に記憶して発呼送信を終了する。
【００５０】
ステップＳ１７でダイアルした番号が０５０の場合（Ｙｅｓ）、被呼機が接続する回線はＩＰ網を経路とするものと判定してステップＳ１５に進み、Ｖ１７モードにより画像情報を送信した後、ステップＳ１０に進み、ＤＣＮを送出して回線を切断すると共に、この送信完了の通信履歴を不揮発性メモリ５に記憶して発呼送信を終了する。
【００５１】
［２］第２の送信例
図６及び図７は、上述したファクシミリ装置１００による第２の送信例を示すフローチャートである。この第２の送信例では、通信モデム１はＶ３４モードとＶ１７モードとを切換可能であり、かつ、Ｖ１７モードで１４４００ｂｐｓ及び９６００ｂｐｓの２つの変調速度を切換可能であって、被呼機にＶ３４モードでの通信能力が備わっていない場合に、操作部２ａから入力された電話番号に基づいて、この被呼機とを接続する回線の種類を判定し、この判定結果に応じて、Ｖ１７モードでの変調速度のいずれか一方を選択することを前提条件として、画像情報の発呼送信をスタートするものとする。
【００５２】
これを前提として、第１の送信例と同様に、先ず図６のステップＳ１で、操作部２ａから入力された電話番号に従いダイアルする。このダイアルした電話番号を、ステップＳ２で、一時記憶し、ステップＳ３で、タイマーを起動してダイアル後の経過時間を計時する。次のステップＳ４で、３秒間間隔でのＣＮＧの送出を開始し、ステップＳ５で、信号検知処理を実行する。次に、図７のステップＳ７に移行して、ＣＥＤ又はＤＩＳを検知しない場合（Ｎｏ）、次のステップＳ８で、ダイアル後の経過時間をチェックし、ダイアル後に３５秒経過した場合（Ｙｅｓ）、ステップＳ９に進み、送信エラーの通信履歴を記憶すると共に、送信エラーのメッセージを表示部２ｂに表示する。そして、ステップＳ１０で、回線を切断して発呼送信を終了する。
【００５３】
ステップＳ８で、ダイアル後の経過時間が３５秒に達していない場合（Ｎｏ）、図６のステップＳ４に戻り、３秒間隔でのＣＮＧ送出及び信号検知処理を、ＣＥＤ又はＤＩＳの検知（ステップＳ７でＹｅｓ）又はダイアル後３５秒経過（ステップＳ８でＹｅｓ）まで継続するように、ステップＳ４乃至ステップＳ８を繰り返す。
【００５４】
ステップＳ７でＣＥＤ又はＤＩＳを検知した場合（Ｙｅｓ）、ステップＳ１１に進み、記憶した電話番号のダイアルの先頭が０５０ではなかった場合（Ｎｏ）、被呼機が接続する回線は一般電話回線網を経路とするものと判定して、ステップＳ１２ａに進み、Ｖ１７モードによる変調速度１４４００ｂｐｓでのデータ通信を選択する。そして、Ｖ２１規格で規定された通信手順に基づくＤＩＳ等の制御信号の送受信、Ｖ１７モードによる１４４００ｂｐｓでの画信号の送信及びＶ２１規格に基づくＭＣＦ等の制御信号の送受信を繰り返し、全画像情報の送出が完了すると、ステップＳ１０に進み、ＤＣＮを送出して回線を切断すると共に、この送信完了の通信履歴を不揮発性メモリ５に記憶して発呼送信を終了する。
【００５５】
これによって、一般電話回線網上の品質が良好な回線を伝送経路として、被呼機の最大通信能力であるＶ１７モードの１４４００ｂｐｓでの通信により画像情報を送信できるので、短い通信時間で送信完了できる。
【００５６】
一方、ＣＥＤ又はＤＩＳを検知し、かつ、入力された電話番号のダイアルの先頭が０５０であった場合（ステップＳ７でＹｅｓ、ステップＳ１１でＹｅｓ）、被呼機が接続する回線はＩＰ網を経路とするものと判定して、ステップＳ１２ｂに進み、Ｖ１７モードによる変調速度９６００ｂｐｓでのデータ通信を選択する。そして、Ｖ２１規格によるＤＩＳ等の制御信号の送受信、Ｖ１７モードによる９６００ｂｐｓでの画信号の送信及びＶ２１規格によるＭＣＦ等の制御信号の送受信を繰り返し、全画像情報の送出が完了すると、ステップＳ１０に進み、ＤＣＮを送出して回線を切断すると共に、この送信完了の通信履歴を不揮発性メモリ５に記憶して発呼送信を終了する。
【００５７】
これによって、ＩＰ網上の品質が粗悪な回線が伝送経路であっても、回線品質に起因する通信エラーへの耐性により優れたＶ１７モードの９６００ｂｐｓでの通信により、一度の通信で全画像情報を送信完了できる確率が高くなるので、送信エラーによる再送信のための通信時間を削減できる。従って、Ｖ１７モードの９６００ｂｐｓという低速な変調速度による送信であっても、総通信時間を短縮できるので、通信費を低減できる。
【００５８】
このように本実施形態のファクシミリ装置では、０５０から始まる電話番号を入力されたときには、Ｖ３４規格に基づく変調方式を選択せずにＶ１７規格に基づく変調方式を選択し、１４４００ｂｐｓ又は９６００ｂｐｓの変調速度で画像情報を送信することによって、ＩＰ網を経由したファクシミリ端末へ送信する場合の送信成功確率を高め、従来のファクシミリ装置で再送信に要していた通信時間を削減できるので、総通信時間を短縮できると共に、通信費を低減できる。
【００５９】
なお、本発明に係るファクシミリ装置及び通信制御手段において、判定手段が低品質の回線を識別するために参照する回線接続情報は、特に０５０から始まる電話番号に限定されるものではない。他の識別番号が付与された電話番号であっても、その電話番号からＩＰ網上での回線接続を識別できれば、上述した実施形態としてのファクシミリ装置及び通信制御手段と同じ作用効果が得られる。
【００６０】
また、例えば、ＶｏＩＰ技術をサポートするＩＰ端末専用の閉鎖系ＩＰ網が整備されてＩＰ網上の回線の品質が向上した場合、即ち、Ｖ３４規格に基づく変調方式又はＶ３４規格以上に拡張された変調方式によるＩＰ端末との通信成功確率が著しく改善されるような場合、この閉鎖系ＩＰ網に接続するＩＰ端末に割り当てられる電話番号（回線接続情報）と、従来の開放系ＩＰ網に接続するＩＰ端末の０５０電話番号とを、回線の種類を判定して最適な変調方式を選択するために利用することもできる。
【００６１】
被呼機とを接続する回線の種類を判定するための回線接続情報は、特に電話番号に限定されず、例えば、ＴＣＰ／ＩＰ規格により規定された通信方式をサポートする情報機器が被呼機として接続される場合、ＩＰアドレス、ゲート・アドレス又はドメイン・ネーム・システム（ＤＮＳ）等によるアドレス情報を利用することも可能である。
【００６２】
【発明の効果】
以上説明したように、本発明に係るファクシミリ装置によれば、任意の被呼機との間で画像情報を送受信する場合に、入力された被呼機の回線接続情報に基づいて被呼機とを接続する回線の種類を判定する判定手段を備え、この判定結果に基づいて選択される変調方式により被呼機に画像情報を送信するものである。
【００６３】
この構成によって、被呼機とを接続する回線に応じた変調方式により画像情報を送信できるので、被呼機が接続する回線品質が粗悪であっても、この回線品質に起因する通信エラーの発生確率を低減できる。従って、画像情報を一度で送信完了できる確率を高めることができるので、送信エラーとなった画像情報の再送信に要していた通信時間を削減できるため、送信完了までの時間を短縮できると共に、通信費も抑制できる。
【００６４】
本発明に係る通信制御方法によれば、画像情報を送受信する発呼側端末と被呼側端末との間の通信を制御する場合に、発呼側端末から被呼側端末へ画像情報を送信する際に入力された被呼側端末の回線接続情報に基づいて当該発呼側端末と被呼側端末とを接続する回線の種類を判定し、予め準備された複数の変調方式の中から、ここで判定された回線の種類に応じた１つの変調方式を選択するようになされる。
【００６５】
この構成によって、被呼側端末が接続を可能とする回線の種類に応じた変調方式により画像情報を送信できるので、被呼側端末が接続する回線の品質が粗悪であっても、この回線品質に起因する通信エラーの発生確率を低減できる。従って、画像情報を一度で送信完了できる確率を高めることができるので、送信エラーとなった画像情報の再送信に要していた通信時間を削減できるため、送信完了までの時間を短縮できると共に、通信費も抑制できる。
【００６６】
この発明は、一般電話回線網とインターネット・プロトコル網とで構築された通信網に回線を接続して画像情報を送受信する機能を備えた情報通信機器に適用して極めて好適である。
【図面の簡単な説明】
【図１】本発明の実施形態としてのファクシミリ装置１００の構成例を示すブロック図である。
【図２】ファクシミリ装置１００による通信管理レポートの出力例を示す概念図である。
【図３】ファクシミリ装置１００による第１の送信例を示すフローチャート（その１）である。
【図４】ファクシミリ装置１００による第１の送信例を示すフローチャート（その２）である。
【図５】ファクシミリ装置１００による第１の送信例を示すフローチャート（その３）である。
【図６】ファクシミリ装置１００による第２の送信例を示すフローチャート（その１）である。
【図７】ファクシミリ装置１００による第２の送信例を示すフローチャート（その２）である。
【図８】従来のファクシミリ装置による送信例を示すフローチャート（その１）である。
【図９】従来のファクシミリ装置による送信例を示すフローチャート（その２）である。
【符号の説明】
１  通信モデム
２  操作手段
３  ＣＰＵ
４  ＲＯＭ
５  不揮発性メモリ
６  記録部
Ｐ１  通信管理レポート
１００  ファクシミリ装置
【図１】
2004320142.tif 000003
【図２】
2004320142.tif 000004
【図３】
2004320142.tif 000005
【図４】
2004320142.tif 000006
【図５】
2004320142.tif 000007
【図６】
2004320142.tif 000008
【図７】
2004320142.tif 000009
【図８】
2004320142.tif 000010
【図９】
2004320142.tif 000011